(57)【要約】【課題】ユーザ端末に最適のページングエリアが割り当てられるように誘導するページングエリアの管理方法および装置を提供する。【解決手段】本発明のユーザ端末で行われるページングエリアの管理方法は、ユーザ端末で現在のトラッキングエリアに滞留した時間が基準時間を超過すれば、現在割り当てられるトラッキングエリアリストのタイプを確認し、現在割り当てられるトラッキングエリアリストのタイプが高速に移動する端末のためのトラッキングエリアリストのタイプであると確認されれば、トラッキングエリアアップデート要求をネットワーク管理者に送信し、ネットワーク管理者から新しいトラッキングエリアリストを受信することを特徴とする。【選択図】      図２
2011160415.tif 000002
【特許請求の範囲】
【請求項１】
ユーザ端末で現在のトラッキングエリアに滞留した時間が基準時間を超過すれば、現在割り当てられるトラッキングエリアリストのタイプを確認し、
前記現在割り当てられるトラッキングエリアリストのタイプが高速に移動する端末のためのトラッキングエリアリストのタイプであると確認されれば、トラッキングエリアアップデート要求をネットワーク管理者に送信し、
前記ネットワーク管理者から新しいトラッキングエリアリストを受信することを特徴とするユーザ端末で行われるページングエリアの管理方法。
【請求項２】
前記新しいトラッキングエリアリストは、停止端末のためのトラッキングエリアリストまたは低速に移動する端末のためのトラッキングエリアリストであることを特徴とする請求項１に記載のユーザ端末で行われるページングエリアの管理方法。
【請求項３】
前記新しいトラッキングエリアリストは、前記現在のトラッキングエリアおよび前記トラッキングエリアアップデートを要求した時間に応じて設定されることを特徴とする請求項１に記載のユーザ端末で行われるページングエリアの管理方法。
【請求項４】
ユーザ端末の移動度を測定し、
現在割り当てられるトラッキングエリアリストのタイプを確認し、
前記ユーザ端末が属する現在のトラッキングエリアが変更されるかを確認し、
現在割り当てられるトラッキングエリアリストのタイプと前記ユーザ端末の移動度が異なり、前記ユーザ端末が属する現在のトラッキングエリアが変更されたと確認されれば、前記ユーザ端末の測定された移動度をネットワークのネットワーク管理者に通知し、
前記ネットワーク管理者から前記ユーザ端末の移動度に対応する新しいトラッキングエリアリストを受信することを特徴とするユーザ端末で行われるページングエリアの管理方法。
【請求項５】
前記現在割り当てられるトラッキングエリアリストのタイプは、高速に移動する端末のためのトラッキングエリアリストであり、前記ユーザ端末の移動度に対応する前記新しいトラッキングエリアリストは、停止端末のためのトラッキングエリアリストまたは低速に移動する端末のためのトラッキングエリアリストであることを特徴とする請求項４に記載のユーザ端末で行われるページングエリアの管理方法。
【請求項６】
前記現在割り当てられるトラッキングエリアリストは、停止端末のためのトラッキングエリアリストまたは低速に移動する端末のためのトラッキングエリアリストであり、前記ユーザ端末の測定された移動度に対応する前記新しいトラッキングエリアリストは、高速に移動する端末のためのトラッキングエリアリストであることを特徴とする請求項４に記載のユーザ端末で行われるページングエリアの管理方法。
【請求項７】
前記ユーザ端末の測定された移動度に対応する前記新しいトラッキングエリアリストは、前記現在のトラッキングエリアおよび前記ユーザ端末の測定された移動度をネットワーク管理者に通知する時間に応じて設定されることを特徴とする請求項４に記載のユーザ端末で行われるページングエリアの管理方法。
【請求項８】
ユーザ端末の移動度を測定し、
現在割り当てられるトラッキングエリアリストのタイプを確認し、
現在割り当てられるトラッキングエリアリストのタイプと前記ユーザ端末の測定された移動度とが異なれば、ページングメッセージが受信されるかを確認し、
前記ページングメッセージが受信されれば、前記ユーザ端末の測定された移動度を含むページング応答メッセージをネットワークのネットワーク管理者に送信し、
前記ネットワーク管理者から前記ユーザ端末の測定された移動度に対応する新しいトラッキングエリアリストを受信することを特徴とするユーザ端末で行われるページングエリアの管理方法。
【請求項９】
前記現在割り当てられるトラッキングエリアリストは、高速に移動する端末のためのトラッキングエリアリストであり、前記ユーザ端末の移動度に対応する前記新しいトラッキングエリアリストは、停止端末のためのトラッキングエリアリストまたは低速に移動する端末のためのトラッキングエリアリストであることを特徴とする請求項８に記載のユーザ端末で行われるページングエリアの管理方法。
【請求項１０】
前記現在割り当てられるトラッキングエリアリストは、停止端末のためのトラッキングエリアリストまたは低速に移動する端末のためのトラッキングエリアリストであり、前記ユーザ端末の移動度に対応する前記新しいトラッキングエリアリストは、高速に移動する端末のためのトラッキングエリアリストであることを特徴とする請求項８に記載のユーザ端末で行われるページングエリアの管理方法。
【請求項１１】
前記ユーザ端末の測定された移動度に対応する前記トラッキングエリアリストは、前記現在のトラッキングエリアおよび前記ユーザ端末の測定された移動度を前記ネットワーク管理者に通知する時間に応じて設定されることを特徴とする請求項８に記載のユーザ端末で行われるページングエリアの管理方法。
【請求項１２】
ユーザ端末の移動度を測定し、
現在割り当てられるトラッキングエリアリストのタイプを確認し、
現在割り当てられるトラッキングエリアリストのタイプと前記ユーザ端末の測定された移動度とが異なれば、ネットワークにおけるアクセスが発生するかを確認し、
ネットワークにおけるアクセスが発生すれば、前記ユーザ端末の測定された移動度を含むサービス要求メッセージをネットワークのネットワーク管理者に送信し、
前記ネットワーク管理者から前記ユーザ端末の測定された移動度に対応する新しいトラッキングエリアリストを受信することを特徴とするユーザ端末で行われるページングエリアの管理方法。
【請求項１３】
前記現在割り当てられるトラッキングエリアリストは、高速に移動する端末のためのトラッキングエリアリストであり、前記ユーザ端末の測定された移動度に対応する新しいトラッキングエリアリストは、停止端末のためのトラッキングエリアリストまたは低速に移動する端末のためのトラッキングエリアリストであることを特徴とする請求項１２に記載のユーザ端末で行われるページングエリアの管理方法。
【請求項１４】
前記現在割り当てられるトラッキングエリアリストは、停止端末のためのトラッキングエリアリストまたは低速に移動する端末のためのトラッキングエリアリストであり、前記ユーザ端末の測定された移動度に対応するトラッキングエリアリストは、高速に移動する端末のためのトラッキングエリアリストであることを特徴とする請求項１２に記載のユーザ端末で行われるページングエリアの管理方法。
【請求項１５】
前記ユーザ端末の測定された移動度に対応する前記トラッキングエリアリストは、前記現在のトラッキングエリアおよび前記ユーザ端末の測定された移動度をネットワーク管理者に通知する時間に応じて設定されることを特徴とする請求項１２に記載のユーザ端末で行われるページングエリアの管理方法。
【請求項１６】
ユーザ端末の移動度を測定する移動度測定部と、
ネットワーク管理者によって割り当てられたトラッキングエリアリストを記憶するトラッキングエリアリスト記憶部と、
前記ユーザ端末の測定された移動度と割り当てられた前記トラッキングエリアリストとを比較し、前記ユーザ端末で発生するイベントに基づいてトラッキングエリアアップデートを制御する制御部と、
前記トラッキングエリアアップデートのために用いられるメッセージを送信及び／又は受信する通信部と、
を含むことを特徴とするページングエリアの管理装置。
【請求項１７】
前記イベントは、ユーザ端末で現在のトラッキングエリアに滞留した時間が基準時間を超過することが含まれ、
前記制御部は、現在割り当てられるトラッキングエリアリストのタイプが高速に移動する端末のためのトラッキングエリアリストのタイプであれば、トラッキングエリアアップデートを行うように、前記ユーザ端末を制御することを特徴とする請求項１６に記載のページングエリアの管理装置。
【請求項１８】
前記イベントは、前記制御部が割り当てられるトラッキングエリアリストのタイプを確認し、現在割り当てられるトラッキングエリアリストのタイプが高速に移動する端末のトラッキングエリアリストのタイプであると確認することをさらに含むことを特徴とする請求項１７に記載のページングエリアの管理装置。
【請求項１９】
前記イベントは、前記制御部が前記ユーザ端末が属した現在のトラッキングエリアが変更されることを確認することを含み、前記制御部は、前記ユーザ端末の測定された移動度をネットワーク管理者に通知するよう前記ユーザ端末を制御することを特徴とする請求項１６に記載のページングエリアの管理装置。
【請求項２０】
前記イベントは、前記制御部が現在割り当てられるトラッキングエリアリストのタイプと前記ユーザ端末の移動度とが異なると確認することをさらに含むことを特徴とする請求項１９に記載のページングエリアの管理装置。
【請求項２１】
前記イベントは、ページングメッセージを受信することを含み、前記制御部は、前記ユーザ端末の測定された移動度を含むページング応答メッセージをネットワーク管理者に送信するように、前記ユーザ端末を制御することを特徴とする請求項１６に記載のページングエリアの管理装置。
【請求項２２】
前記イベントは、前記制御部が現在割り当てられるトラッキングエリアリストのタイプと前記ユーザ端末の測定された移動度とが異なることを確認することをさらに含むことを特徴とする請求項２１に記載のページングエリアの管理装置。
【請求項２３】
前記イベントは、前記制御部がネットワークにおけるアクセスが発生するかを確認することを含み、前記制御部は、ネットワークにおけるアクセスが発生すれば、前記ユーザ端末の測定された移動度を含むサービス要求メッセージをネットワーク管理者に送信するように前記ユーザ端末を制御する請求項１６に記載のページングエリアの管理装置。
【請求項２４】
前記イベントは、前記制御部が現在割り当てられるトラッキングエリアリストのタイプと前記ユーザ端末の測定された移動度とが異なることを確認することをさらに含むことを特徴とする請求項２３に記載のページングエリアの管理装置。
【請求項２５】
前記通信部は、前記ユーザ端末の測定された移動度に対応するトラッキングエリアリストを受信し、前記ユーザ端末の測定された移動度に対応するトラッキングエリアリストは、現在のトラッキングエリアおよびトラッキングエリアアップデートがネットワーク管理者に要求された時間に応じて設定されたことを特徴とする請求項１６に記載のページングエリアの管理装置。
【発明の詳細な説明】
【技術分野】
【０００１】
本発明は、ページングエリア（ｐａｇｉｎｇ  ａｒｅａ）の割り当てに関し、特に、ユーザ端末の情報を用いて最適化したページングエリアの管理方法および装置に関する。
【背景技術】
【０００２】
ページングエリアは用途に応じてサイズが異なるように設計されることがある。ページングエリアは位置エリア（ｌｏｃａｔｉｏｎ  ａｒｅａ）またはトラッキングエリアリスト（ｔｒａｃｋｉｎｇ  ａｒｅａ  ｌｉｓｔ、以下、「ＴＡＬ」という場合がある。）などの概念に用いられる。このとき、ユーザ端末（ｕｓｅｒ  Ｅｑｕｉｐｍｅｎｔ、以下、「ＵＥ」という場合がある。）別に最適化してページングエリアに登録されるようにすることで、ネットワークリソースを減らすことができる。
【０００３】
ユーザ端末は、ページングメッセージを受信するためにネットワークに登録しなければならない。特に、速い速度で移動するユーザ端末に大きいサイズのページングエリアを割り当てると、異なるページングエリアへの移動回数が減少することで、位置エリアのアップデートのロードを減少させることができるものの、広い領域でページングの通知（ｐａｇｉｎｇ  ｎｏｔｉｆｉｃａｔｉｏｎ）を送信しなければならないという問題がある。反対に、狭い範囲でページングの通知をブロードキャストするために小さいページングエリアを割り当てることができるが、移動するユーザ端末である場合に位置エリアのアップデート回数が増加してしまう問題がある。
【０００４】
すなわち、セルラーシステムではページングエリアを小さく維持するほど利得または移動が多い領域では、ページングエリアのアップデート信号が増加してしまい、システムシグナルのロードに影響を与えることになる。また、ページングエリアを大きく維持する場合には、ページングシグナルのロードが増加してシステムリソースの無駄の原因になる。
【０００５】
従来技術によるページングエリアの管理では、ユーザ端末に最適ＴＡＬのタイプを割り当てる方法を提供することができない。したがって、ユーザ端末が適切な特性のページングエリアを選択するよう誘導することによって、最適のページングエリアをユーザ端末に割り当て、ネットワークリソースを減らしている。
【発明の概要】
【発明が解決しようとする課題】
【０００６】
本発明の目的は、ユーザ端末に最適のページングエリアが割り当てられるように誘導するページングエリアの管理方法および装置を提供することにある。
【０００７】
また、本発明の他の目的は、ユーザ端末で必須的なイベントの発生時にページングエリアのアップデートが発生するよう制御することによって、トラフィックの発生を最小化するページングエリアの管理方法および装置を提供することにある。
【０００８】
また、本発明の更なる目的は、ユーザ端末の移動パターンを考慮してページングエリアを割り当てるページングエリアの管理方法および装置を提供することにある。
【課題を解決するための手段】
【０００９】
本発明の一実施形態に係るユーザ端末で行われるページングエリアの管理方法は、ユーザ端末で現在のトラッキングエリアに滞留した時間が基準時間を超過すれば、現在割り当てられるトラッキングエリアリストのタイプを確認し、前記現在割り当てられるトラッキングエリアリストのタイプが高速に移動する端末のためのトラッキングエリアリストのタイプであると確認されれば、トラッキングエリアアップデート要求をネットワーク管理者に送信し、前記ネットワーク管理者から新しいトラッキングエリアリストを受信すること、を含む。
【００１０】
前記新しいトラッキングエリアリストは停止端末のためのトラッキングエリアリストまたは低速に移動する端末のためのトラッキングエリアリストであってもよい。
【００１１】
前記新しいトラッキングエリアリストは、前記現在のトラッキングエリアおよび前記トラッキングエリアアップデートを要求した時間に応じて設定されてもよい。
【００１２】
本発明の他の一実施形態に係るユーザ端末で行われるページングエリアの管理方法は、ユーザ端末の移動度を測定し、現在割り当てられるトラッキングエリアリストのタイプを確認し、前記ユーザ端末が属する現在のトラッキングエリアが変更されるかを確認し、現在割り当てられるトラッキングエリアリストのタイプと前記ユーザ端末の移動度が異なり、前記ユーザ端末が属する現在のトラッキングエリアが変更されたと確認されれば、前記ユーザ端末の測定された移動度をネットワークのネットワーク管理者に通知し、前記ネットワーク管理者から前記ユーザ端末の移動度に対応する新しいトラッキングエリアリストを受信すること、を含む。
【００１３】
本発明の他の一実施形態に係るユーザ端末で行われるページングエリアの管理方法は、ユーザ端末の移動度を測定し、現在割り当てられるトラッキングエリアリストのタイプを確認し、現在割り当てられるトラッキングエリアリストのタイプと前記ユーザ端末の測定された移動度とが異なれば、ページングメッセージが受信されるかを確認し、前記ページングメッセージが受信されれば、前記ユーザ端末の測定された移動度を含むページング応答メッセージをネットワークのネットワーク管理者に送信し、前記ネットワーク管理者から前記ユーザ端末の測定された移動度に対応する新しいトラッキングエリアリストを受信すること、を含む。
【００１４】
本発明の他の一実施形態に係るユーザ端末で行われるページングエリアの管理方法は、ユーザ端末の移動度を測定し、現在割り当てられるトラッキングエリアリストのタイプを確認し、現在割り当てられるトラッキングエリアリストのタイプと前記ユーザ端末の測定された移動度とが異なれば、ネットワークにおけるアクセスが発生するかを確認し、ネットワークにおけるアクセスが発生すれば、前記ユーザ端末の測定された移動度を含むサービス要求メッセージをネットワークのネットワーク管理者に送信し、前記ネットワーク管理者から前記ユーザ端末の測定された移動度に対応する新しいトラッキングエリアリストを受信すること、を含む。
【００１５】
本発明の他の一実施形態に係るページングエリアの管理装置は、ユーザ端末の移動度を測定する移動度測定部と、ネットワーク管理者によって割り当てられたトラッキングエリアリストを記憶するトラッキングエリアリスト記憶部と、前記ユーザ端末の測定された移動度と割り当てられた前記トラッキングエリアリストのタイプとを比較し、前記ユーザ端末で発生するイベントに基づいてトラッキングエリアアップデートを制御する制御部と、前記トラッキングエリアアップデートのために用いられるメッセージを送信及び／または受信する通信部と、を含む。
【００１６】
前記イベントは、ユーザ端末で現在のトラッキングエリアに滞留した時間が基準時間を超過することが含まれ、前記制御部は、現在割り当てられるトラッキングエリアリストのタイプが高速に移動する端末のためのトラッキングエリアリストのタイプであると確認すれば、トラッキングエリアアップデートを行うように前記ユーザ端末を制御してもよい。
【００１７】
前記イベントは、前記制御部が割り当てられるトラッキングエリアリストのタイプを確認し、現在割り当てられるトラッキングエリアリストのタイプが高速に移動する端末のトラッキングエリアリストのタイプであると確認することをさらに含んでもよい。
【００１８】
前記イベントは、前記制御部が前記ユーザ端末が属した現在のトラッキングエリアが変更されることを確認することを含み、前記制御部は、前記ユーザ端末の測定された移動度をネットワーク管理者に通知するよう前記ユーザ端末を制御してもよい。
【００１９】
前記イベントは、前記制御部が現在割り当てられるトラッキングエリアリストのタイプと前記ユーザ端末の移動度とが異なると確認することをさらに含んでもよい。
【００２０】
前記イベントは、ページングメッセージを受信することを含み、前記制御部は、前記ユーザ端末の測定された移動度を含むページング応答メッセージをネットワーク管理者に送信するように、前記ユーザ端末を制御してもよい。
【００２１】
前記イベントは、前記制御部がネットワークにおけるアクセスが発生するかを確認することを含み、前記制御部は、ネットワークにおけるアクセスが発生すれば、前記ユーザ端末の測定された移動度を含むサービス要求メッセージをネットワーク管理者に送信するように前記ユーザ端末を制御してもよい。
【００２２】
前記通信部は、前記ユーザ端末の測定された移動度に対応するトラッキングエリアリストを受信し、前記ユーザ端末の測定された移動度に対応するトラッキングエリアリストは、現在のトラッキングエリアおよびトラッキングエリアアップデートがネットワーク管理者に要求された時間に応じて設定してもよい。
【発明の効果】
【００２３】
本発明によれば、ユーザ端末に最適のページングエリアが割り当てられるように誘導することによって、ネットワークでページングの通知に必要な資源を減らすことができる。
【００２４】
本発明によれば、ユーザ端末で必須的なイベントの発生時にページングエリアのアップデートが発生するよう制御することによって、トラフィックの発生を最小化することができる。
【００２５】
本発明によれば、ユーザ端末の移動パターンを考慮してページングエリアを割り当てることができる。
【図面の簡単な説明】
【００２６】
【図１】本発明の一実施形態に係るページングエリアアップデートの手順の一例を示す図である。
【図２】本発明の一実施形態に係るトラッキングエリアリストの構成例を示す図である。
【図３】本発明の一実施形態に係るトラッキングエリアリストの再割り当て工程を説明するための図である。
【図４】本発明の一実施形態に係るトラッキングエリアアップデート工程を示す。
【図５】周期的なアップデートタイマを用いたトラッキングエリアアップデートトリガ手順の一例を示すフローチャートである。
【図６】本発明の他の実施形態に係るトラッキングエリアアップデート工程を示す図である。
【図７】ＴＡ変更によるトラッキングエリアアップデートトリガ手順の一例を示すフローチャートである。
【図８】本発明の他の実施形態に係るトラッキングエリアアップデート工程を示す図である。
【図９】ページング応答と結合したトラッキングエリアアップデートトリガ手順の一例を示すフローチャートである。
【図１０】本発明の他の実施形態に係るトラッキングエリアアップデート工程を示す図である。
【図１１】ユーザ端末のネットワークアクセスと結合したトラッキングエリアアップデートトリガ手順の一例を示すフローチャートである。
【図１２】本発明の一実施形態に係るユーザ端末の構成例を示すブロック図である。
【図１３】本発明の一実施形態に係るトラッキングエリアリストの割り当て方式を説明するための図である。
【発明を実施するための形態】
【００２７】
以下、本発明の実施形態を添付された図面を参照して詳細に説明する。本発明を説明するにあたり、関連する公知な機能または構成に対する具体的な説明が本発明の要旨を曖昧にすると確認される場合にはその詳細な説明を省略する。また、本明細書で用いられる用語（ｔｅｒｍｉｎｏｌｏｇｙ）は本発明の好適な実施形態を適切に表現するために用いられる用語であって、この用語はユーザ、運用者の意図、または本発明が属する分野の慣例などによって異なってもよい。したがって、本用語に対する定義は本明細書の全般にわたる内容に基づいて下されなければならない。
【００２８】
図１は、本発明の一実施形態に係るページングエリアアップデート手順の一例を示す図である。
【００２９】
図１に示すように、ユーザ端末１００は、ページングエリアアップデート（ｐａｇｉｎｇ  ａｒｅａ  ｕｐｄａｔｅ）が必要であれば、ネットワーク２００に「トラッキングエリアアップデート（Ｔｒａｃｋｉｎｇ  ａｒｅａ  ｕｐｄａｔｅ）の要求」を送信する。ネットワーク２００は、ページングエリア情報を含む「トラッキングエリアアップデートの承認」をユーザ端末１００に送信する。このとき、ページングエリア情報は「トラッキングエリアリスト（Ｔｒａｃｋｉｎｇ  Ａｒｅａ  Ｌｉｓｔ以下、「ＴＡＬ」という場合がある。）」であってもよい。ＴＡＬは、複数のトラッキングエリア（Ｔｒａｃｋｉｎｇ  Ａｒｅａ、以下、「ＴＡ」という場合がある。）を識別するためのトラッキングエリアアイデンティティ（Ｔｒａｃｋｉｎｇ  Ａｒｅａ  Ｉｄｅｎｔｉｔｙ、以下、「ＴＡＩ」という場合がある。）のリストから構成されている。すなわち、複数のＴＡそれぞれは、ＴＡＩによって識別されてもよい。このとき、ネットワーク２００はユーザ端末１００にＴＡＬが割り当てられるネットワーク管理者を含んでもよい。
【００３０】
一方、ユーザ端末１００がネットワーク２００からチャネルの割り当てられた状態を「専用状態（ｄｅｄｉｃａｔｅｄ  ｓｔａｔｅ）」といい、そうでない状態を「アイドル状態（ｉｄｌｅ  ｓｔａｔｅ）」という。「専用状態」で、ネットワーク２００はセル単位でユーザ端末１００の位置が分かる。ＬＴＥ（Ｌｏｎｇ  Ｔｅｒｍ  Ｅｖｏｌｕｔｉｏｎ）およびＬＴＥよりも発展した通信規格は、ページングエリア（ＰＡ）をＴＡＬの概念と定義しており、３Ｇ通信システムおよび３Ｇ通信システムの前の通信規格は、ページングエリアを位置エリアと定義している。例えば、ＬＴＥ通信規格はセルの集まりによりトラッキングエリア（ＴＡ）が構成され、トラッキングエリアリスト（ＴＡＬ）にＴＡを作成してＴＡＬと定義する。本明細書において、セルおよびＴＡは次のような属性を有すると仮定する。
【００３１】
１）セルは２つ以上のＴＡに属さない。
２）ＴＡは２つ以上のＴＡＬに属してもよい。
【００３２】
ＴＡＬを用いてページングエリアを割り当てることは、いくつかの利点がある。すなわち、ページングエリアを複数のＴＡで構成すれば、地理的な特性に応じてページングエリアの調整ができる。例えば、走行するユーザ端末が多く分布している道路または地下鉄の場合、道路または地下鉄の線路に沿って長いまたは広いページングエリアを設定してもよい。また、住宅領域の場合、人口の数に応じて小さいページングエリアを設定してもよい。
【００３３】
ユーザ端末１００は新しいＴＡに進められれば、新しいＴＡのＴＡＩを確認して、予め割り当てられたＴＡＬに属する新しいＴＡであるかを確認する。新しいＴＡが予め割り当てられたＴＡＬに属すれば、ユーザ端末１００は如何なる動作なしでアイドル状態を維持する。もし、新しいＴＡが予め割り当てられたＴＡＬに属さなければ、ユーザ端末１００はページングエリアアップデートの手順を行って新しいＴＡＬを割り当てられなければならない。
【００３４】
図２は、本発明の一実施形態に係るＴＡＬの構成例を示す図である。
【００３５】
ＴＡＬのサイズは多様に設定してもよい。図２に示すように、ＴＡＬ４は長いページングエリアを目的として設定された例を表し、ＴＡＬ１〜ＴＡＬ３は、住宅団地のような小さいページングエリアを目的として設定された例を表す。ＴＡＬ４のように長いページングエリアは、道路または地下鉄のように高速移動する端末のためのＴＡＬであってもよい。また、ＴＡＬ１、ＴＡＬ２、ＴＡＬ３のように小さいページングエリアは、停止端末または低速移動する端末のためのＴＡＬであってもよい。
【００３６】
本明細書で、高速に移動する端末を「高速モバイル」といい、「高速モバイル」のためのＴＡＬタイプを「高速モバイルＴＡＬまたは高速ＴＡＬ」ということにする。また、停止端末または低速に移動する端末を「低速モバイル」または「停止モバイル」といい、「低速モバイル」または「停止モバイル」のためのＴＡＬタイプを「低速モバイルＴＡＬ」または「停止モバイルＴＡＬ」ということにする。すなわち、本明細書でユーザ端末は、移動度（ｍｏｂｉｌｉｔｙ）に応じて、「高速モバイル」および「低速モバイルまたは停止モバイル」に区分してもよい。このとき、ユーザ端末の移動度を区分する基準は、通信ネットワーク設計によって多様な基準に設定してもよい。
【００３７】
ＴＡＬの設定において、１つのＴＡは２以上のＴＡＬに重なってもよい。２以上のＴＡＬに重なるＴＡは、重複（ｏｖｅｒｌａｐｐｅｄ）ＴＡといってもよい。例えば、ＴＡＬ２とＴＡＬ４はＡ−２位置で重複ＴＡを有してもよい。重複ＴＡによってユーザ端末が２つのＴＡＬの間で再選択を繰り返すピンポン（ｐｉｎｇ  ｐｏｎｇ）現象を防止することができる。このように、２つのＴＡＬが重なる場合、最適のＴＡＬタイプを割り当てることが要求される。
【００３８】
図２に示すように、高速モバイルにＴＡＬ４を割り当てれば、トラッキングエリアアップデート（Ｔｒａｃｋｉｎｇ  Ａｒｅａ  Ｕｐｄａｔｅ、以下、「ＴＡＵ」という場合がある。）要求の回数を減らすことができる。ＴＡＬ１、ＴＡＬ２、ＴＡＬ３、ＴＡＬ４は重なったＴＡを有するよう設計してもよい。ユーザ端末が道路に沿ってＡ−１から走行を始めてＡ−２に停車したと仮定すれば、ユーザ端末は道路上ではＴＡＬ４が割り当てられ、Ａ−２に停車している時はＴＡＬ２が割り当てられることになる。すなわち、ユーザ端末がＡ−２に停車している時は、ユーザ端末に対するページングエリアをＴＡＬ２に変更することが、ＴＡＬ４をページングエリアに割り当てることよりもメッセージトラフィック面において効率的である。このとき、ユーザ端末の移動度が変更されれば、後述する方法によってＴＡＬを再び割り当てることができる。ＴＡＬを再び割り当てることはＴＡＵ手順によって行ってもよい。したがって、本明細書で「ＴＡＬの再割り当て」、「ＴＡＵ」および「ＴＡＬアップデート」は全て同じ意味で用いられる。
【００３９】
図３は、本発明の一実施形態に係るＴＡＬの再割り当て工程を説明するための図である。
【００４０】
図３に示すように、ユーザ端末は、低速移動度または停止移動度に該当するＴＡＬが割り当てられた状態で（ステップＳ３１０）、高速移動度を検出すれば（ステップＳ３１１）、高速移動度のためのＴＡＬアップデートを準備する（ステップＳ３２０）。ユーザ端末は、低速移動度または停止移動度に該当するＴＡＬが割り当てられた状態で（ステップＳ３１０）、低速または停止移動度を検出すれば（ステップＳ３２１）、低速移動度または停止移動度に該当するＴＡＬが割り当てられた状態を維持する（ステップＳ３１０）。ユーザ端末は、高速ＴＡＬをネットワークに要求して高速ＴＡＬが割り当てられる（ステップＳ３２３）。
【００４１】
一方、ユーザ端末は自ら移動度を測定してもよい。ここで、ユーザ端末の移動度の測定は、セル再選択の回数、ＧＰＳを用いた移動速度測定、タイマを用いた特定セルまたはＴＡにおける滞留時間測定などを介して行なってもよい。
【００４２】
図３に示すように、ユーザ端末は高速移動度に該当するＴＡＬが割り当てられた状態で（ステップＳ３３０）、低速移動度または停止移動度を検出すれば（ステップＳ３３１）、低速移動度または停止移動度のためのＴＡＬアップデートを準備する（ステップＳ３４０）。ユーザ端末は、高速移動度に該当するＴＡＬが割り当てられた状態で（ステップＳ３３０）、高速移動度を検出すれば（ステップＳ３４１）、高速移動度に該当するＴＡＬが割り当てられた状態を維持する（ステップＳ３３０）。ユーザ端末は、低速移動度ＴＡＬまたは停止移動度ＴＡＬをネットワークに要求して低速移動度ＴＡＬまたは停止移動度ＴＡＬを割り当てられる（ステップＳ３４３）。
【００４３】
図３に示すように、単にユーザ端末の移動度に応じてＴＡＬアップデートを行う状態について説明したが、ＴＡＬアップデートは特定イベントが発生した場合に行ってもよい。以下、図４〜図１１に基づいて多様なイベントの発生によってＴＡＬアップデートが行われる例について説明する。
【００４４】
図４〜図１１において、ネットワーク５００はユーザ端末４００にＴＡＬが割り当てられるネットワーク管理者（図示せず）を含む。ネットワーク管理者は、ユーザ端末４００の移動度に対応するＴＡＬを選択し、選択されたＴＡＬをユーザ端末４００に割り当てる。
【００４５】
図４は、本発明の一実施形態に係るＴＡＵ工程を示す図である。
【００４６】
ステップＳ４１０において、ユーザ端末４００は周期的なアップデートタイマを用いたＴＡＵトリガ（ｔｒｉｇｇｅｒｉｎｇ）手順を行う。ここで、「ＴＡＵトリガ」とは、ＴＡＵが必要なイベントが発生して、ＴＡＬが再び割り当てられる必要のある状態を意味する。ユーザ端末４００は、高速ＴＡＬが割り当てられた状態で現在のＴＡに一定の時間以上に留まっている場合、移動度を停止と判断してもよい。一方、ステップＳ４１０は、図５に示すように細部工程を行ってもよい。
【００４７】
図５は、周期的なアップデートタイマを用いたＴＡＵトリガ手順の一例を示すフローチャートである。ステップＳ５１１において、ユーザ端末４００は、現在のＴＡに滞留した時間が基準時間を超過するか否かを確認する。このとき、基準時間は数時間また数秒などの設定に応じて異なる値になる。ステップＳ５１３において、現在のＴＡに滞留した時間が基準時間を超過すれば、ユーザ端末４００は、現在割り当てられるＴＡＬのタイプを確認する。次に、ステップＳ５１５において、ユーザ端末４００は、現在割り当てられるＴＡＬのタイプが高速移動する端末のためのＴＡＬタイプであるかを確認する。現在割り当てられるＴＡＬのタイプが高速移動する端末のためのＴＡＬのタイプであれば、ユーザ端末４００は、図４に示すステップＳ４２０の周期的なトラッキングエリアアップデートの要求を行なってもよい。
【００４８】
図４に示すステップＳ４２０において、ユーザ端末４００は「周期的なトラッキングエリアアップデートの要求」をネットワーク５００に送信することによって、トラッキングエリアアップデートをネットワーク管理者に要求する。このとき、「周期的なトラッキングエリアアップデートの要求」は所定の周期に送信されてもよく、ユーザ端末４００の移動度の情報を含む。
【００４９】
図４に示すステップＳ４３０において、ユーザ端末４００は「トラッキングエリアアップデートの承認」を介してネットワーク管理者から新しいＴＡＬを受信する。このとき、新しいＴＡＬは、低速モバイルＴＡＬまたは停止モバイルＴＡＬであってもよい。
【００５０】
図６は、本発明の他の実施形態に係るＴＡＵ工程を示す図である。
【００５１】
図６に示すステップＳ６１０において、ユーザ端末４００はＴＡの変更によるＴＡＵトリガ手順を行う。ユーザ端末４００は移動度を検出している状態で、ＴＡが変更されればＴＡＵが必要であるか否かを確認する。ＴＡが変更されることによってＴＡＵが必要な場合、ユーザ端末４００はステップＳ６２０のトラッキングエリアアップデートの要求を行う。一方、ステップＳ６１０は、図７に示すように細部工程を含んで行ってもよい。
【００５２】
図７は、ＴＡの変更によるＴＡＵトリガ手順の一例を示すフローチャートである。
【００５３】
図７に示すステップＳ７１１において、ユーザ端末４００は、自身の移動度を測定する。このとき、ユーザ端末４００は現在の移動度を検出している状態である。その後、ステップＳ７１３において、ユーザ端末４００は、ユーザ端末４００が属している現在のＴＡが変更されるかを確認する。ＴＡが変更されれば、ユーザ端末４００は、ステップＳ７１５で現在割り当てられるＴＡＬのタイプと測定された移動度が異なるかを確認する。現在割り当てられるＴＡＬのタイプと測定された移動度が異なれば、ユーザ端末４００は、ステップＳ６２０のトラッキングエリアアップデートの要求をネットワーク５００に行なってもよい。例えば、ユーザ端末４００は、現在割り当てられるＴＡＬのタイプは高速ＴＡＬであり、測定された移動度が停止の場合、ＴＡが変更されればＴＡＵが必要であると確認してもよい。また、例えば、ユーザ端末４００は、現在割り当てられるＴＡＬのタイプは停止ＴＡＬであり、測定された移動度が高速の場合、ＴＡが変更されればＴＡＵが必要であると確認してもよい。
【００５４】
図６に示すステップＳ６２０において、ユーザ端末４００は「トラッキングエリアアップデートの要求」をネットワーク５００に送信することによって、トラッキングエリアアップデートをネットワーク５００のネットワーク管理者に要求する。このとき、「トラッキングエリアアップデートの要求」は測定された移動度に関する情報を含んでもよい。
【００５５】
図６に示すステップＳ６３０において、ユーザ端末４００は、「トラッキングエリアアップデートの承認」を介して、ネットワーク５００のネットワーク管理者から測定された移動度に対応するＴＡＬを受信する。
【００５６】
図８は、本発明の他の実施形態に係るＴＡＵ工程を示す図である。
【００５７】
図８に示すステップＳ８１０において、ユーザ端末４００はページング応答（ｐａｇｉｎｇ  ｒｅｓｐｏｎｓｅ）と結合したＴＡＵトリガ手順を行う。ユーザ端末４００は、現在割り当てられたＴＡＬタイプと移動度とが異なることを検出すれば、ページング応答メッセージを介してＴＡＵを行う準備をする。一方、ステップＳ８１０は、図９に示すように細部工程を含んで行ってもよい。
【００５８】
図９は、ページング応答と結合したＴＡＵトリガ手順の一例を示すフローチャートである。図９に示すステップＳ９１１において、ユーザ端末４００は、自身の移動度を測定する。したがって、ユーザ端末４００は、現在の移動度を検出している状態である。その後、ユーザ端末４００は、ステップＳ９１３において、ネットワーク５００からページングメッセージが受信されたかを確認する。ユーザ端末４００はページングメッセージが受信されれば、ステップＳ８２０のサービス要求をネットワーク５００に行う。図９には図示していないが、ステップＳ９１３の前に、ユーザ端末４００は、現在割り当てられるＴＡＬタイプと測定された移動度とが異なるかを確認する。すなわち、ユーザ端末４００は、現在割り当てられるＴＡＬタイプと測定された移動度とが異なる場合に限ってステップＳ９１３を行う。このとき、現在割り当てられるＴＡＬタイプと測定された移動度とが異なる場合、現在割り当てられるＴＡＬのタイプは高速ＴＡＬであり、測定された移動度は低速または停止である。また、現在割り当てられるＴＡＬタイプと測定された移動度とが異なる場合、現在割り当てられるＴＡＬのタイプは低速ＴＡＬまたは停止ＴＡＬであり、測定された移動度は高速であってもよい。
【００５９】
図８に示すステップＳ８２０において、ユーザ端末４００は、測定された移動度を含むページング応答メッセージをネットワーク５００のネットワーク管理者に送信する。すなわち、測定された移動度はピギーバック（ｐｉｇｇｙｂａｃｋ）方式によってネットワーク５００に送信してもよい。このとき、ページング応答メッセージは「サービス要求」であってもよい。このように、ユーザ端末４００とネットワーク５００との間に必須的に発生するイベントを用いてＴＡＵを行うことにより、トラフィックの発生を最小化することができる。ステップＳ８３０において、ユーザ端末４００は測定された移動度に対応する新しいＴＡＬをネットワーク５００のネットワーク管理者から受信する。このとき、測定された移動度に対応する新しいＴＡＬは、例えば、「ＧＵＴＩ（Ｇｌｏｂａｌｌｙ  Ｕｎｉｑｕｅ  Ｔｅｍｐｏｒａｒｙ  Ｉｄｅｎｔｉｔｙ）再割り当てコマンド」を介して受信されてもよい。すなわち、測定された移動度の送信のように、ＴＡＬもピギーバック方式によって受信されてもよい。
【００６０】
ステップＳ８４０およびステップＳ８５０は一般的なページング手順で行われるステップであり、リソース割り当て工程に該当する。
【００６１】
図１０は、本発明の他の実施形態に係るＴＡＵ工程を示す図である。
【００６２】
ステップＳ１０１０において、ユーザ端末４００は、ユーザ端末４００のネットワークアクセスと結合したＴＡＵトリガ手順を行う。ネットワークアクセスは、図８に示すページング応答を行う場合と反対の場合を意味する。ユーザ端末４００は、現在の割り当てられたＴＡＬタイプと移動度とが異なると検出すれば、ネットワークアクセスメッセージを介してＴＡＵを行う準備をする。このとき、現在割り当てられるＴＡＬタイプと測定された移動度とが異なる場合は、現在割り当てられるＴＡＬのタイプは高速ＴＡＬであり、測定された移動度は低速または停止であってもよい。また、現在割り当てられるＴＡＬタイプと測定された移動度とが異なる場合、現在割り当てられるＴＡＬのタイプは低速ＴＡＬまたは停止ＴＡＬであり、測定された移動度は高速であってもよい。一方、ステップＳ１０１０は、図１１に示すように細部工程を含んで行ってもよい。
【００６３】
図１１は、ユーザ端末のネットワークアクセスと結合したＴＡＵトリガ手順の一例を示すフローチャートである。
【００６４】
図１１に示すステップＳ１１０１において、ユーザ端末４００は、自身の移動度を測定する。このとき、ユーザ端末４００は、現在の移動度を検出している状態である。その後、ステップＳ１１０３において、ユーザ端末４００は、現在割り当てられるＴＡＬタイプと測定された移動度とが異なるかを確認する。現在割り当てられるＴＡＬタイプと測定された移動度とが異なれば、ユーザ端末４００は、ステップＳ１１０５でネットワークにおけるアクセスが発生したかを確認する。このとき、現在割り当てられるＴＡＬタイプと測定された移動度とが異なる場合、現在割り当てられるＴＡＬのタイプは高速ＴＡＬであり、測定された移動度は低速または停止であってもよい。また、現在割り当てられるＴＡＬタイプと測定された移動度とが異なる場合、現在割り当てられるＴＡＬのタイプは低速ＴＡＬまたは停止ＴＡＬであり、測定された移動度は高速であってもよい。ネットワークにおけるアクセスが発生すれば、ユーザ端末４００はステップＳ１０２０のサービス要求をネットワーク５００に行う。
【００６５】
図１０に示すステップＳ１０２０において、ユーザ端末４００は、測定された移動度を含むサービス要求メッセージをネットワーク５００のネットワーク管理者に送信する。したがって、測定された移動度はピギーバック方式によってネットワーク５００に送信してもよい。このように、ユーザ端末４００とネットワーク５００との間に必須的に発生するイベントを用いてＴＡＵを行うことにより、トラフィックの発生を最小化することができる。
【００６６】
ステップＳ１０３０において、ユーザ端末４００は測定された移動度に対応する新しいＴＡＬを受信する。このとき、測定された移動度に対応する新しいＴＡＬは、例えば、「ＧＵＴＩ再割り当てコマンド」を介して受信されてもよい。すなわち、測定された移動度の送信のように、ＴＡＬもピギーバック方式によって受信されてもよい。
【００６７】
ステップＳ１０４０およびステップＳ１０５０は一般的なページング手順で行われる工程であって、リソース割り当て工程に該当する。
【００６８】
図１２は、本発明の一実施形態に係るユーザ端末の構成例を示すブロック図である。
【００６９】
ユーザ端末４００は、図３〜図１１に示す方法を行なってもよい。図１２に示すように、ユーザ端末４００は、移動度測定部１２１０、ＴＡＬ（トラッキングエリアリスト）記憶部１２２０、制御部１２３０、および通信部１２４０を含む。また、ユーザ端末４００は、タイマ１２５０およびメッセージ生成部１２６０をさらに含んで構成してもよい。移動度測定部１２１０はユーザ端末の移動度を測定する。このとき、ユーザ端末の移動度の測定は、セル再選択の回数、ＧＰＳを用いた移動速度測定、タイマを用いた特定セルまたはＴＡにおける滞留時間測定などにより可能となる。
【００７０】
トラッキングエリアリスト記憶部１２２０は、ネットワーク管理者によって割り当てられたＴＡＬを記憶する。トラッキングエリアリスト記憶部１２２０に記憶されたＴＡＬは、現在のユーザ端末４００に割り当てられたＴＡＬに該当する。
【００７１】
制御部１２３０は、測定された移動度とトラッキングエリアリスト記憶部１２２０に記憶されたＴＡＬとを比較する。また、制御部１２３０は、ユーザ端末４００で発生するイベントに基づいてトラッキングエリアアップデートを制御する。
【００７２】
例えば、制御部１２３０は、現在のトラッキングエリアに滞留した時間が基準時間を超過すれば、現在割り当てられるＴＡＬのタイプを確認し、現在割り当てられるＴＡＬのタイプが高速ＴＡＬタイプであれば、ＴＡＵを行うようにユーザ端末４００を制御してもよい。
【００７３】
例えば、制御部１２３０は現在割り当てられるＴＡＬのタイプと測定された移動度が異なり、ユーザ端末４００が属した現在のＴＡが変更されれば、移動度の情報をネットワーク管理者に通知するようユーザ端末４００を制御してもよい。
【００７４】
例えば、制御部１２３０は、現在割り当てられるＴＡＬのタイプと測定された移動度とが異なれば、ページングメッセージが受信されるかを確認し、ページングメッセージが受信されれば、測定された移動度の情報を含むページング応答メッセージをネットワーク管理者に送信するようユーザ端末４００を制御してもよい。
【００７５】
例えば、制御部１２３０は、現在割り当てられるＴＡＬのタイプと測定された移動度とが異なれば、ネットワークにおけるアクセスが発生するかを確認し、ネットワークにおけるアクセスが発生すれば、測定された移動度の情報を含むサービス要求メッセージをネットワーク５００のネットワーク管理者に送信するようユーザ端末４００を制御してもよい。
【００７６】
通信部１２４０は、制御部１２３０の制御に応じてトラッキングエリアアップデートのためのメッセージを送信または／及び受信する。
【００７７】
タイマ１２５０は、ユーザ端末４００の特定ＴＡにおける滞留時間を測定してもよい。また、タイマ１２５０は、現在のトラッキングエリアに滞留した時間が基準時間を超過するか否かを制御部１２３０に通知してもよい。
【００７８】
メッセージ生成部１２６０は、制御部１２３０の制御に応じてトラッキングエリアアップデートに必要なメッセージを生成してもよい。
【００７９】
一方、ユーザ端末４００は、ネックワーク５００から受信されるＴＡＬを介して自身が重複ＴＡに位置しているかを把握してもよい。すなわち、ユーザ端末４００は、ＴＡＬを介して重複ＴＡに位置することが分かり、図３〜図１１に示す動作を行なってもよい。一方、ユーザ端末４００は、重複ＴＡに位置しない場合であっても移動度の測定を介して図３〜図１１に示す動作を行なってもよい。ＴＡＬは、表１および表２に例示した通り、ＴＡＬタイプおよびＴＡＩに関する情報を含んでもよい。
【００８０】
【表１】
2011160415.tif 000003
【００８１】
表１は図２に示すＴＡＬ４のように長くて大きい受信地域のためのＴＡＬの例を表す。
【００８２】
【表２】
2011160415.tif 000004
【００８３】
表２は図２に示すＴＡＬ２のように小さい受信地域のためのＴＡＬの例を表す。表１および表２に示すように、図２に示すＡ−２はＴＡＩが２２であるＴＡが割り当てられているものと見ることができる。
【００８４】
図１３は、本発明の一実施形態に係るＴＡＬの割り当て方式を説明するための図である。
【００８５】
図１３において、ＴＡＬ１、ＴＡＬ２、ＴＡＬ３、ＴＡＬ４は図２に示し、それぞれ表３に示すように構成されていると仮定する。
【００８６】
【表３】
2011160415.tif 000005
【００８７】
表３に示すように、ＴＡＬ４は、例えば、道路または地下鉄のように高速モバイルが多く分布している領域のＴＡＬに該当する。また、ＴＡＬ１、ＴＡＬ２およびＴＡＬ３はそれぞれ住宅領域または事務室が密集している領域のＴＡＬに該当する。一方、ＴＡＬ４−１、ＴＡＬ４−２およびＴＡＬ４−３は高速ＴＡＬを適応的に設定した例を表す。
【００８８】
本実施形態によっては、ユーザ端末４００は現在のＴＡおよびＴＡＵが要求された時間を考慮して、適応的に設定されたＴＡＬが割り当てられてもよい。
【００８９】
例えば、現在割り当てられたＴＡＬがＴＡＬ４であり、特定時間にユーザ端末がＴＡＩ−１０に位置すれば、移動度が低速または停止の場合にＴＡＬ１が割り当てられることなく、ＴＡＬ４−１またはＴＡＬ４−２が割り当てられてもよい。このとき、特定時間は、例えば、ユーザ端末の移動度が低速であるが、すぐ高速に変更されると予想される時間帯であってもよい。
【００９０】
また、ユーザ端末の移動パターンがネットワークに時間帯別に記録されていれば、ユーザ端末は最も適した高速ＴＡＬが割り当てられてもよい。例えば、現在割り当てられたＴＡＬがＴＡＬ２であり、ユーザ端末がＴＡＩ−１１に位置する場合、退勤時間頃にＴＡＵが発生すれば、ＴＡＬ４−２が割り当てられて、退勤時間以外の時間にはＴＡＬ４またはＴＡＬ４−３が割り当てられてもよい。
【００９１】
本発明の実施形態は、多様なコンピュータ手段を介して実行することができるプログラム命令形態に具現され、コンピュータ読取可能な記録媒体に記録されることができる。コンピュータ読取可能な媒体は、プログラム命令、データファイル、データ構造などを単独または組み合わせて含むこともできる。コンピュータ読取可能な媒体に記録されるプログラム命令は、本発明の目的のために特別に設計されて構成されたものでもよく、コンピュータソフトウェア分野の技術を有する当業者にとって公知であり使用可能なものであってもよい。
【００９２】
上述したように、本発明は、限定された実施形態と図面によって説明したが、本発明は、上記の実施形態に限定されることなく、本発明が属する分野における通常の知識を有する者であれば、多様な修正および変形が可能である。
【００９３】
したがって、本発明の範囲は説明された実施形態に限定されて決められてはならず、後述する特許請求の範囲だけでなく、この特許請求の範囲と均等なものなどによって定められなければならない。
【符号の説明】
【００９４】
１２１０      移動度測定部
１２２０      ＴＡＬ記憶部
１２３０      制御部
１２４０      通信部
１２５０      タイマ
１２６０      メッセージ生成部
【図１】
2011160415.tif 000006
【図２】
2011160415.tif 000007
【図３】
2011160415.tif 000008
【図４】
2011160415.tif 000009
【図５】
2011160415.tif 000010
【図６】
2011160415.tif 000011
【図７】
2011160415.tif 000012
【図８】
2011160415.tif 000013
【図９】
2011160415.tif 000014
【図１０】
2011160415.tif 000015
【図１１】
2011160415.tif 000016
【図１２】
2011160415.tif 000017
【図１３】
2011160415.tif 000018